【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
スケジューリング対象外（non-scheduled）ユーザデータとスケジューリング対象外制御データとについてのデータ割当て処理を、送信時間間隔におけるアップリンクチャネルでのスケジューリング対象外データの送信に移動端末が利用可能な最大量のリソースを示すスケジューリング対象外許可により定義されたリソース利用制限に従って実行するための方法であって、
スケジューリング対象外許可を複数のＨＡＲＱ処理の一部に制限することにより、前記一部のＨＡＲＱ処理を、スケジューリング対象外ユーザデータの送信に対してアクティブにし、前記複数のＨＡＲＱ処理の残りのＨＡＲＱ処理を、スケジューリング対象外ユーザデータの送信に対して非アクティブにし、前記残りのＨＡＲＱ処理を、スケジューリング対象外制御データの送信に対して非アクティブにしないステップと、
前記複数のＨＡＲＱ処理がスケジューリング対象外ユーザデータの送信に対してアクティブであるか否かに従って、スケジューリング対象外ユーザデータおよびスケジューリング対象外制御データを、前記複数のＨＡＲＱ処理のいずれかを使用して次の送信時間間隔内にアップリンクチャネルで送信されるトランスポートチャネルのパケットデータユニットに多重化するステップと、
前記次の送信時間間隔におけるアップリンクチャネルでの送信のために、前記パケットデータユニットを前記いずれかのＨＡＲＱ処理に供給するステップと、
を有する方法。
【請求項２】
前記いずれかのＨＡＲＱ処理がスケジューリング対象外ユーザデータの送信に対して非アクティブにされていた場合でも、スケジューリング対象外制御データは、前記いずれかのＨＡＲＱ処理に供給されるパケットデータユニットに多重化される、請求項１に記載の方法。
【請求項３】
スケジューリング対象（scheduled）データとスケジューリング対象外ユーザデータとスケジューリング対象外制御データとについてのデータ割当て処理を、送信時間間隔におけるアップリンクチャネルでのスケジューリング対象データおよびスケジューリング対象外データのそれぞれの送信に移動端末が利用可能な最大量のリソースを示すスケジューリング許可および少なくとも一つのスケジューリング対象外許可により定義されたリソース利用制限に従って実行するための方法であって、
スケジューリング対象外許可を複数のＨＡＲＱ処理の一部に対して有効であると定義することにより、前記一部のＨＡＲＱ処理を、スケジューリング対象外ユーザデータの送信に対してアクティブにし、前記スケジューリング対象外許可が無効である残りのＨＡＲＱ処理を、スケジューリング対象外ユーザデータの送信に対して非アクティブにするステップと、
前記複数のＨＡＲＱ処理に対してスケジューリング許可および対応するスケジューリング対象外許可が有効と定義されたか無効と定義されたかに従って、次の送信時間間隔のために、アップリンク送信を待つスケジューリング対象データとスケジューリング対象外ユーザデータとスケジューリング対象外制御データとを、前記複数のＨＡＲＱ処理のいずれかを使用して前記次の送信時間間隔内にアップリンクチャネルで送信されるトランスポートチャネルのパケットデータユニットに多重化するステップと、
前記次の送信時間間隔におけるアップリンクチャネルでの送信のために、前記パケットデータユニットを前記いずれかのＨＡＲＱ処理に供給するステップと、を有し、
前記次の送信時間間隔に使用される前記いずれかのＨＡＲＱ処理は、スケジューリング対象外制御データの送信に対して常にアクティブであるものと仮定される、方法。
【請求項４】
前記いずれかのＨＡＲＱ処理がスケジューリング対象外許可に対して非アクティブである場合でも、スケジューリング対象外制御データは、前記いずれかのＨＡＲＱ処理に供給されるパケットデータユニットに多重化される、請求項３に記載の方法。
【請求項５】
スケジューリング対象外許可が前記いずれかのＨＡＲＱ処理に対して無効である場合でも、スケジューリング対象外制御データは、前記いずれかのＨＡＲＱ処理に供給されるパケットデータユニットに多重化される、請求項３に記載の方法。
【請求項６】
スケジューリング対象外制御データは、スケジューリング関連制御シグナリングのデータまたはＭＡＣフレーミングヘッダシグナリングのデータを含む、請求項１から請求項５のいずれかに記載の方法。
【請求項７】
スケジューリング対象外許可は、スケジューリング対象外ユーザデータおよびスケジューリング対象外制御データの送信に前記移動端末が利用可能な最大量のリソースを示す、請求項１から請求項６のいずれかに記載の方法。
【請求項８】
前記スケジューリング対象外許可が、スケジューリング対象外制御データを送信するには十分ではない量のリソースを、スケジューリング対象外データの送信に与える場合でも、スケジューリング対象外制御データは、前記いずれかのＨＡＲＱ処理に供給されるパケットデータユニットに多重化される、請求項７に記載の方法。
【請求項９】
スケジューリング対象外制御データの送信に前記移動端末が利用可能な最大量のリソースを示す別のスケジューリング対象外許可を割り当てるステップをさらに有する、請求項１から請求項６のいずれかに記載の方法。
【請求項１０】
前記別のスケジューリング対象外許可により示されたリソース量は、前記次の送信時間間隔に使用される前記いずれかのＨＡＲＱ処理でのスケジューリング対象外制御データの送信を可能にする十分な大きさであると常に定義されまたは仮定される、請求項９に記載の方法。
【請求項１１】
スケジューリング対象外許可を前記複数のＨＡＲＱ処理の一部に制限することを示す情報要素を含む制御シグナリングを、前記移動端末の無線リソースを制御するネットワークエンティティから受信するステップをさらに有し、
前記移動端末は、前記制御シグナリングに従ってスケジューリング対象外許可を前記複数のＨＡＲＱ処理の一部に制限する、請求項１から請求項１０のいずれかに記載の方法。
【請求項１２】
スケジューリング対象外許可により示された最大量のリソースは、送信時間間隔におけるアップリンクチャネルでのスケジューリング対象外データの送信に前記移動端末が利用可能なデータ量により示される、請求項１から請求項１１のいずれかに記載の方法。
【請求項１３】
スケジューリング許可により示された最大量のリソースは、拡張個別物理データチャネルＥ−ＤＰＤＣＨと個別物理制御チャネルＤＰＣＣＨとの間の電力比により示される、請求項１から請求項１２のいずれかに記載の方法。
【請求項１４】
スケジューリング許可および少なくとも一つのスケジューリング対象外許可を移動通信システムの無線アクセスネットワークから前記移動端末により受信しまたは前記移動端末により設定するステップをさらに有する、請求項１から請求項１３のいずれかに記載の方法。
【請求項１５】
スケジュール対象データとスケジューリング対象外ユーザデータとスケジューリング対象外制御データとについてのデータ割当て処理を、送信時間間隔におけるアップリンクチャネルでのスケジューリング対象外データの送信に移動端末が利用可能な最大量のリソースを示すスケジューリング対象外許可により定義されたリソース利用制限に従って実行する移動端末であって、
スケジューリング対象外許可を複数のＨＡＲＱ処理の一部に制限することにより、前記一部のＨＡＲＱ処理を、スケジューリング対象外ユーザデータの送信に対してアクティブにし、前記複数のＨＡＲＱ処理の残りのＨＡＲＱ処理を、スケジューリング対象外ユーザデータの送信に対して非アクティブにし、前記残りのＨＡＲＱ処理を、スケジューリング対象外制御データの送信に対して非アクティブにしない処理手段と、
前記複数のＨＡＲＱ処理がスケジューリング対象外ユーザデータの送信に対してアクティブであるか否かに従って、スケジューリング対象外ユーザデータおよびスケジューリング対象外制御データを、前記複数のＨＡＲＱ処理のいずれかを使用して次の送信時間間隔内にアップリンクチャネルで送信されるトランスポートチャネルのパケットデータユニットに多重化するマルチプレクサと、を有し、
前記マルチプレクサは、前記次の送信時間間隔におけるアップリンクチャネルでの送信のために、前記パケットデータユニットを前記いずれかのＨＡＲＱ処理に供給する、移動端末。
【請求項１６】
スケジューリング対象データとスケジューリング対象外ユーザデータとスケジューリング対象外制御データとについてのデータ割当て処理を、送信時間間隔におけるアップリンクチャネルでのスケジューリング対象データおよびスケジューリング対象外データのそれぞれの送信に移動端末が利用可能な最大量のリソースを示すスケジューリング許可およびスケジューリング対象外許可により定義されたリソース利用制限に従って実行する移動端末であって、
スケジューリング対象外許可を複数のＨＡＲＱ処理の一部に対して有効であると定義することにより、前記一部のＨＡＲＱ処理を、スケジューリング対象外ユーザデータの送信に対してアクティブし、前記スケジューリング対象外許可が無効である残りのＨＡＲＱ処理を、スケジューリング対象外ユーザデータの送信に対して非アクティブにする処理手段と、
前記複数のＨＡＲＱ処理に対してスケジューリング許可および対応するスケジューリング対象外許可が有効と定義されたか無効と定義されたかに従って、次の送信時間間隔のために、アップリンク送信を待つスケジューリング対象データとスケジューリング対象外ユーザデータとスケジューリング対象外制御データとを、前記複数のＨＡＲＱ処理のいずれかを使用して次の送信時間間隔内にアップリンクチャネルで送信されるトランスポートチャネルのパケットデータユニットに多重化して、前記次の送信時間間隔におけるアップリンクチャネルでの送信のために、前記パケットデータユニットを前記いずれかのＨＡＲＱ処理に供給するマルチプレクサと、を有し、
前記次の送信時間間隔に使用される前記いずれかのＨＡＲＱ処理はスケジューリング対象外制御データの送信に対して常にアクティブであるものと仮定する、移動端末。
【請求項１７】
移動端末のプロセッサにより実行されると、スケジューリング対象外ユーザデータとスケジューリング対象外制御データとについてのデータ割当て処理を、送信時間間隔におけるアップリンクチャネルでのスケジューリング対象外データの送信に前記移動端末が利用可能な最大量のリソースを示すスケジューリング対象外許可により定義されたリソース利用制限に従って、前記移動端末に実行させる命令を記憶するコンピュータ読取可能記憶媒体であって、前記データ割当て処理は、
スケジューリング対象外許可を複数のＨＡＲＱ処理の一部に制限することにより、前記一部のＨＡＲＱ処理を、スケジューリング対象外ユーザデータの送信に対してアクティブにし、前記複数のＨＡＲＱ処理の残りのＨＡＲＱ処理を、スケジューリング対象外ユーザデータの送信に対して非アクティブにし、前記残りのＨＡＲＱ処理を、スケジューリング対象外制御データの送信に対して非アクティブにしないステップと、
前記複数のＨＡＲＱ処理がスケジューリング許可および対応するスケジューリング対象外許可がスケジューリング対象外ユーザデータの送信に対してアクティブであるか否かに従って、スケジューリング対象外ユーザデータおよびスケジューリング対象外制御データを、前記複数のＨＡＲＱ処理のいずれかを使用して次の送信時間間隔内にアップリンクチャネルで送信されるトランスポートチャネルのパケットデータユニットに多重化するステップと、
前記次の送信時間間隔におけるアップリンクチャネルでの送信のために、前記パケットデータユニットを前記いずれかのＨＡＲＱ処理に供給するステップと、
を有する、コンピュータ読取可能記憶媒体。
【請求項１８】
移動端末のプロセッサにより実行されると、スケジューリング対象データとスケジューリング対象外ユーザデータとスケジューリング対象外制御データとについてのデータ割当て処理を、送信時間間隔におけるアップリンクチャネルでのスケジューリング対象データおよびスケジューリング対象外データのそれぞれの送信に前記移動端末が利用可能な最大量のリソースを示すスケジューリング許可および少なくとも一つのスケジューリング対象外許可により定義されたリソース利用制限に従って、前記移動端末に実行させる命令を記憶するコンピュータ読取可能記憶媒体であって、前記データ割当て処理は、
スケジューリング対象外許可を複数のＨＡＲＱ処理の一部に対して有効であると定義することにより、前記一部のＨＡＲＱ処理を、スケジューリング対象外ユーザデータの送信に対してアクティブにし、前記スケジューリング対象外許可が無効である残りのＨＡＲＱ処理を、スケジューリング対象外ユーザデータの送信に対して非アクティブにするステップと、
前記複数のＨＡＲＱ処理に対してスケジューリング許可および対応するスケジューリング対象外許可が有効と定義されたか無効と定義されたかに従って、次の送信時間間隔のために、アップリンク送信を待つスケジューリング対象データとスケジューリング対象外ユーザデータとスケジューリング対象外制御データとを、前記複数のＨＡＲＱ処理のいずれかを使用して前記次の送信時間間隔内にアップリンクチャネルで送信されるトランスポートチャネルのパケットデータユニットに多重化するステップと、
前記次の送信時間間隔におけるアップリンクチャネルでの送信のために、前記パケットデータユニットを前記いずれかのＨＡＲＱ処理に供給するステップと、を有し、
前記次の送信時間間隔に使用される前記いずれかのＨＡＲＱ処理は、スケジューリング対象外制御データの送信に対して常にアクティブであるものと仮定される、コンピュータ読取可能記憶媒体。
【請求項１９】
移動通信システムの無線アクセスネットワークにおいて移動端末の無線リソースを制御するネットワークエンティティから前記移動端末の少なくとも一つへ制御シグナリング情報を送信するための、前記ネットワークエンティティにおける方法であって、
スケジューリング対象外許可に従って、前記移動端末のいずれかからスケジューリング対象外ユーザデータおよびスケジューリング対象外制御データを受信するために使用され、且つ前記いずれかの移動端末から前記無線アクセスネットワークへアップリンクチャネルを介してスケジューリング対象外制御データを送信するために使用される複数のＨＡＲＱ処理の一部を選択するステップと、
前記無線アクセスネットワークへのスケジューリング対象外制御データの送信に対してアクティブにされる前記一部のＨＡＲＱ処理を示す制御シグナリング情報を生成するステップと、
前記制御シグナリング情報を前記いずれかの移動端末へ送信するステップと、
を有する方法。
【請求項２０】
前記制御シグナリング情報は、アップリンクチャネルをセットアップまたは再設定する、前記いずれかの移動端末へ送信されるシグナリングメッセージの情報要素に含まれる、請求項１９に記載の方法。
【請求項２１】
前記シグナリング情報はビット列を含み、前記ビット列内のビット数は、使用可能なＨＡＲＱ処理の数に等しく、前記ビット列内の各ビットの論理値は、対応するＨＡＲＱ処理がアップリンクチャネルでのスケジューリング対象外制御データの送信に対してアクティブにされたか非アクティブにされたかを前記いずれかの移動端末に示す、請求項１９または請求項２０に記載の方法。
【請求項２２】
移動通信システムの無線アクセスネットワークにおいて移動端末の無線リソースを制御するネットワークエンティティであって、
スケジューリング許可および少なくとも一つのスケジューリング対象外許可に従って、前記移動端末のいずれかからスケジューリング対象外ユーザデータおよびスケジューリング対象外制御データを受信するために使用され、且つ前記いずれかの移動端末から前記無線アクセスネットワークへアップリンクチャネルを介してスケジューリング対象外制御データを送信するために使用される複数のＨＡＲＱ処理の一部を選択して、前記無線アクセスネットワークへのスケジューリング対象外制御データの送信に対してアクティブにされる前記一部のＨＡＲＱ処理を示す制御シグナリング情報を生成する処理手段と、
前記制御シグナリング情報を前記いずれかの移動端末へ送信する送信器と、
を有する、ネットワークエンティティ。
【請求項２３】
移動通信システムの無線アクセスネットワークにおいて移動端末の無線リソースを制御するネットワークエンティティのプロセッサにより実行されると、前記ネットワークエンティティに、前記移動端末の少なくとも一つへ制御シグナリング情報を送信させる命令を記憶するコンピュータ読取可能記憶媒体であって、前記制御シグナリング情報の送信は、
スケジューリング許可および少なくとも一つのスケジューリング対象外許可に従って、前記移動端末のいずれかからスケジューリング対象外ユーザデータおよびスケジューリング対象外制御データを受信するために使用され、且つ前記いずれかの移動端末から前記無線アクセスネットワークへアップリンクチャネルを介してスケジューリング対象外制御データを送信するために使用される複数のＨＡＲＱ処理の一部を選択するステップと、
前記無線アクセスネットワークへのスケジューリング対象外制御データの送信に対してアクティブにされる前記一部のＨＡＲＱ処理を示す制御シグナリング情報を生成するステップと、
前記制御シグナリング情報を前記いずれかの移動端末へ送信するステップと、
を有する、コンピュータ読取可能記憶媒体。
【手続補正２】
【補正対象書類名】明細書
【補正対象項目名】０００１
【補正方法】変更
【補正の内容】
【０００１】
本発明は、スケジューリング許可（scheduling grant）と少なくとも一つのスケジューリング対象外許可（non-scheduled grant）とによって定義されたリソース利用についての制限に従った、スケジューリング対象（scheduled）データとスケジューリング対象外（non-scheduled）ユーザデータとスケジューリング対象外制御データとのデータ割当て処理を実行するための方法および移動端末に関連する。さらに、本発明は、移動端末の無線リソースを制御する、移動通信システムの無線アクセスネットワーク中のネットワークエンティティから前記移動端末の少なくとも一つに制御シグナリングを送信するための方法、および無線アクセスネットワーク中の上記ネットワークエンティティに関連する。
【手続補正３】
【補正対象書類名】明細書
【補正対象項目名】００２４
【補正方法】変更
【補正の内容】
【００２４】
パケットスケジューリング 
パケットスケジューリングは、共有媒体への参入が許されたユーザに送信機会および送信フォーマットを割り当てるために使用される無線リソース管理アルゴリズムであると言える。スケジューリングは、例えば、望ましいチャネル状態にあるユーザに送信機会を割り当てることによりスループット／容量を最大にするために、適応変調符号化と合わせてパケットベースの移動無線ネットワークで利用することができる。ＵＭＴＳにおけるパケットデータサービスは、ストリーミングサービスに使用されることもあるが、双方向および背景のトラヒッククラスに適用され得る。双方向および背景のクラスに属するトラヒックは、非リアルタイム（ＮＲＴ）トラヒックとして扱われ、パケットスケジューラによって制御される。パケットスケジューリング方法は、下記により特徴づけることができる。
【手続補正４】
【補正対象書類名】明細書
【補正対象項目名】００６２
【補正方法】変更
【補正の内容】
【００６２】
スケジューリング対象外データ送信の場合は、ノードＢからいずれのスケジューリングコマンドも受信することなく、ＵＥは設定されたビット数までのＥ−ＤＣＨデータ送信をいつでも行うことが許される。したがって、シグナリングオーバヘッドとシグナリング遅延は最小になり得る。スケジューリング対象外データ送信のためのリソースは、ＴＴＩ間隔内に送信されるＭＡＣ−ｅ  ＰＤＵにＵＥが含めることができる最大ビット数として、ＲＲＣエンティティ（通常、Ｓ−ＲＮＣ）によって与えられる。これはスケジューリング対象外許可と呼ばれる。スケジューリング対象外許可は、ＭＡＣ−ｄフローごとに定義され得る。したがって、スケジューリング対象外ＭＡＣ−ｄフローにマッピングされる論理チャネルは、各ＭＡＣ−ｄフローに対して設定されるスケジューリング対象外許可までの送信のみ可能となる。ある特定のＵＥにサービスしている複数のノードＢが、スケジューリング対象外データの送信によりＵＥから結果的に生じる可能性のあるＲｏＴ（Rise over Thermal）を勘案できるようにするためには、ＵＥに割り当てるスケジューリング対象外許可をＵＴＲＡＮからＮＢＡＰシグナリング（ノードＢアプリケーション部シグナリング）を介して上記ノードＢに通知する。スケジューリング対象外データフローおよびスケジューリング対象データフローの処理を規定する、次のような規則のセットがある。
【手続補正５】
【補正対象書類名】明細書
【補正対象項目名】００８５
【補正方法】変更
【補正の内容】
【００８５】
本発明の目的は、従来のＨＡＲＱ処理制限メカニズムにより必然的に含まれる制御シグナリングの遅延を減少させ、それにより上記の問題を克服することである。
【手続補正６】
【補正対象書類名】明細書
【補正対象項目名】００８８
【補正方法】変更
【補正の内容】
【００８８】
本発明に係る方法は、スケジューリング対象外（non-scheduled）ユーザデータとスケジューリング対象外制御データとについてのデータ割当て処理を、送信時間間隔におけるアップリンクチャネルでのスケジューリング対象外データの送信に移動端末が利用可能な最大量のリソースを示すスケジューリング対象外許可により定義されたリソース利用制限に従って実行するための方法であって、スケジューリング対象外許可を複数のＨＡＲＱ処理の一部に制限することにより、前記一部のＨＡＲＱ処理を、スケジューリング対象外ユーザデータの送信に対してアクティブにし、前記複数のＨＡＲＱ処理の残りのＨＡＲＱ処理を、スケジューリング対象外ユーザデータの送信に対して非アクティブにし、前記残りのＨＡＲＱ処理を、スケジューリング対象外制御データの送信に対して非アクティブにしないステップと、前記複数のＨＡＲＱ処理がスケジューリング対象外ユーザデータの送信に対してアクティブであるか否かに従って、スケジューリング対象外ユーザデータおよびスケジューリング対象外制御データを、前記複数のＨＡＲＱ処理のいずれかを使用して次の送信時間間隔内にアップリンクチャネルで送信されるトランスポートチャネルのパケットデータユニットに多重化するステップと、前記次の送信時間間隔におけるアップリンクチャネルでの送信のために、前記パケットデータユニットを前記いずれかのＨＡＲＱ処理に供給するステップと、を有する、ようにした。
【手続補正７】
【補正対象書類名】明細書
【補正対象項目名】００８９
【補正方法】変更
【補正の内容】
【００８９】
本発明に係る方法は、スケジューリング対象（scheduled）データとスケジューリング対象外ユーザデータとスケジューリング対象外制御データとについてのデータ割当て処理を、送信時間間隔におけるアップリンクチャネルでのスケジューリング対象データおよびスケジューリング対象外データのそれぞれの送信に移動端末が利用可能な最大量のリソースを示すスケジューリング許可および少なくとも一つのスケジューリング対象外許可により定義されたリソース利用制限に従って実行するための方法であって、スケジューリング対象外許可を複数のＨＡＲＱ処理の一部に対して有効であると定義することにより、前記一部のＨＡＲＱ処理を、スケジューリング対象外ユーザデータの送信に対してアクティブにし、前記スケジューリング対象外許可が無効である残りのＨＡＲＱ処理を、スケジューリング対象外ユーザデータの送信に対して非アクティブにするステップと、前記複数のＨＡＲＱ処理に対してスケジューリング許可および対応するスケジューリング対象外許可が有効と定義されたか無効と定義されたかに従って、次の送信時間間隔のために、アップリンク送信を待つスケジューリング対象データとスケジューリング対象外ユーザデータとスケジューリング対象外制御データとを、前記複数のＨＡＲＱ処理のいずれかを使用して前記次の送信時間間隔内にアップリンクチャネルで送信されるトランスポートチャネルのパケットデータユニットに多重化するステップと、前記次の送信時間間隔におけるアップリンクチャネルでの送信のために、前記パケットデータユニットを前記いずれかのＨＡＲＱ処理に供給するステップと、を有し、前記次の送信時間間隔に使用される前記いずれかのＨＡＲＱ処理は、スケジューリング対象外制御データの送信に対して常にアクティブであるものと仮定される、ようにした。
【手続補正８】
【補正対象書類名】明細書
【補正対象項目名】００９０
【補正方法】変更
【補正の内容】
【００９０】
本発明に係る移動端末は、スケジュール対象データとスケジューリング対象外ユーザデータとスケジューリング対象外制御データとについてのデータ割当て処理を、送信時間間隔におけるアップリンクチャネルでのスケジューリング対象外データの送信に移動端末が利用可能な最大量のリソースを示すスケジューリング対象外許可により定義されたリソース利用制限に従って実行する移動端末であって、スケジューリング対象外許可を複数のＨＡＲＱ処理の一部に制限することにより、前記一部のＨＡＲＱ処理を、スケジューリング対象外ユーザデータの送信に対してアクティブにし、前記複数のＨＡＲＱ処理の残りのＨＡＲＱ処理を、スケジューリング対象外ユーザデータの送信に対して非アクティブにし、前記残りのＨＡＲＱ処理を、スケジューリング対象外制御データの送信に対して非アクティブにしない処理手段と、前記複数のＨＡＲＱ処理がスケジューリング対象外ユーザデータの送信に対してアクティブであるか否かに従って、スケジューリング対象外ユーザデータおよびスケジューリング対象外制御データを、前記複数のＨＡＲＱ処理のいずれかを使用して次の送信時間間隔内にアップリンクチャネルで送信されるトランスポートチャネルのパケットデータユニットに多重化するマルチプレクサと、を有し、前記マルチプレクサは、前記次の送信時間間隔におけるアップリンクチャネルでの送信のために、前記パケットデータユニットを前記いずれかのＨＡＲＱ処理に供給する、構成を採る。
【手続補正９】
【補正対象書類名】明細書
【補正対象項目名】００９１
【補正方法】変更
【補正の内容】
【００９１】
本発明に係る移動端末は、スケジューリング対象データとスケジューリング対象外ユーザデータとスケジューリング対象外制御データとについてのデータ割当て処理を、送信時間間隔におけるアップリンクチャネルでのスケジューリング対象データおよびスケジューリング対象外データのそれぞれの送信に移動端末が利用可能な最大量のリソースを示すスケジューリング許可およびスケジューリング対象外許可により定義されたリソース利用制限に従って実行する移動端末であって、スケジューリング対象外許可を複数のＨＡＲＱ処理の一部に対して有効であると定義することにより、前記一部のＨＡＲＱ処理を、スケジューリング対象外ユーザデータの送信に対してアクティブし、前記スケジューリング対象外許可が無効である残りのＨＡＲＱ処理を、スケジューリング対象外ユーザデータの送信に対して非アクティブにする処理手段と、前記複数のＨＡＲＱ処理に対してスケジューリング許可および対応するスケジューリング対象外許可が有効と定義されたか無効と定義されたかに従って、次の送信時間間隔のために、アップリンク送信を待つスケジューリング対象データとスケジューリング対象外ユーザデータとスケジューリング対象外制御データとを、前記複数のＨＡＲＱ処理のいずれかを使用して次の送信時間間隔内にアップリンクチャネルで送信されるトランスポートチャネルのパケットデータユニットに多重化して、前記次の送信時間間隔におけるアップリンクチャネルでの送信のために、前記パケットデータユニットを前記いずれかのＨＡＲＱ処理に供給するマルチプレクサと、を有し、前記次の送信時間間隔に使用される前記いずれかのＨＡＲＱ処理はスケジューリング対象外制御データの送信に対して常にアクティブであるものと仮定する、構成を採る。
【手続補正１０】
【補正対象書類名】明細書
【補正対象項目名】００９２
【補正方法】変更
【補正の内容】
【００９２】
本発明に係るコンピュータ読取可能記憶媒体は、移動端末のプロセッサにより実行されると、スケジューリング対象外ユーザデータとスケジューリング対象外制御データとについてのデータ割当て処理を、送信時間間隔におけるアップリンクチャネルでのスケジューリング対象外データの送信に前記移動端末が利用可能な最大量のリソースを示すスケジューリング対象外許可により定義されたリソース利用制限に従って、前記移動端末に実行させる命令を記憶するコンピュータ読取可能記憶媒体であって、前記データ割当て処理は、スケジューリング対象外許可を複数のＨＡＲＱ処理の一部に制限することにより、前記一部のＨＡＲＱ処理を、スケジューリング対象外ユーザデータの送信に対してアクティブにし、前記複数のＨＡＲＱ処理の残りのＨＡＲＱ処理を、スケジューリング対象外ユーザデータの送信に対して非アクティブにし、前記残りのＨＡＲＱ処理を、スケジューリング対象外制御データの送信に対して非アクティブにしないステップと、前記複数のＨＡＲＱ処理がスケジューリング許可および対応するスケジューリング対象外許可がスケジューリング対象外ユーザデータの送信に対してアクティブであるか否かに従って、スケジューリング対象外ユーザデータおよびスケジューリング対象外制御データを、前記複数のＨＡＲＱ処理のいずれかを使用して次の送信時間間隔内にアップリンクチャネルで送信されるトランスポートチャネルのパケットデータユニットに多重化するステップと、前記次の送信時間間隔におけるアップリンクチャネルでの送信のために、前記パケットデータユニットを前記いずれかのＨＡＲＱ処理に供給するステップと、を有する、ようにした。
【手続補正１１】
【補正対象書類名】明細書
【補正対象項目名】００９３
【補正方法】変更
【補正の内容】
【００９３】
本発明に係るコンピュータ読取可能記憶媒体は、移動端末のプロセッサにより実行されると、スケジューリング対象データとスケジューリング対象外ユーザデータとスケジューリング対象外制御データとについてのデータ割当て処理を、送信時間間隔におけるアップリンクチャネルでのスケジューリング対象データおよびスケジューリング対象外データのそれぞれの送信に前記移動端末が利用可能な最大量のリソースを示すスケジューリング許可および少なくとも一つのスケジューリング対象外許可により定義されたリソース利用制限に従って、前記移動端末に実行させる命令を記憶するコンピュータ読取可能記憶媒体であって、前記データ割当て処理は、スケジューリング対象外許可を複数のＨＡＲＱ処理の一部に対して有効であると定義することにより、前記一部のＨＡＲＱ処理を、スケジューリング対象外ユーザデータの送信に対してアクティブにし、前記スケジューリング対象外許可が無効である残りのＨＡＲＱ処理を、スケジューリング対象外ユーザデータの送信に対して非アクティブにするステップと、前記複数のＨＡＲＱ処理に対してスケジューリング許可および対応するスケジューリング対象外許可が有効と定義されたか無効と定義されたかに従って、次の送信時間間隔のために、アップリンク送信を待つスケジューリング対象データとスケジューリング対象外ユーザデータとスケジューリング対象外制御データとを、前記複数のＨＡＲＱ処理のいずれかを使用して前記次の送信時間間隔内にアップリンクチャネルで送信されるトランスポートチャネルのパケットデータユニットに多重化するステップと、前記次の送信時間間隔におけるアップリンクチャネルでの送信のために、前記パケットデータユニットを前記いずれかのＨＡＲＱ処理に供給するステップと、を有し、前記次の送信時間間隔に使用される前記いずれかのＨＡＲＱ処理は、スケジューリング対象外制御データの送信に対して常にアクティブであるものと仮定される、ようにした。
【手続補正１２】
【補正対象書類名】明細書
【補正対象項目名】００９４
【補正方法】変更
【補正の内容】
【００９４】
本発明に係る方法は、移動通信システムの無線アクセスネットワークにおいて移動端末の無線リソースを制御するネットワークエンティティから前記移動端末の少なくとも一つへ制御シグナリング情報を送信するための、前記ネットワークエンティティにおける方法であって、スケジューリング対象外許可に従って、前記移動端末のいずれかからスケジューリング対象外ユーザデータおよびスケジューリング対象外制御データを受信するために使用され、且つ前記いずれかの移動端末から前記無線アクセスネットワークへアップリンクチャネルを介してスケジューリング対象外制御データを送信するために使用される複数のＨＡＲＱ処理の一部を選択するステップと、前記無線アクセスネットワークへのスケジューリング対象外制御データの送信に対してアクティブにされる前記一部のＨＡＲＱ処理を示す制御シグナリング情報を生成するステップと、前記制御シグナリング情報を前記いずれかの移動端末へ送信するステップと、を有する、ようにした。
【手続補正１３】
【補正対象書類名】明細書
【補正対象項目名】００９５
【補正方法】変更
【補正の内容】
【００９５】
本発明に係るネットワークエンティティは、移動通信システムの無線アクセスネットワークにおいて移動端末の無線リソースを制御するネットワークエンティティであって、スケジューリング許可および少なくとも一つのスケジューリング対象外許可に従って、前記移動端末のいずれかからスケジューリング対象外ユーザデータおよびスケジューリング対象外制御データを受信するために使用され、且つ前記いずれかの移動端末から前記無線アクセスネットワークへアップリンクチャネルを介してスケジューリング対象外制御データを送信するために使用される複数のＨＡＲＱ処理の一部を選択して、前記無線アクセスネットワークへのスケジューリング対象外制御データの送信に対してアクティブにされる前記一部のＨＡＲＱ処理を示す制御シグナリング情報を生成する処理手段と、前記制御シグナリング情報を前記いずれかの移動端末へ送信する送信器と、を有する、構成を採る。
【手続補正１４】
【補正対象書類名】明細書
【補正対象項目名】００９６
【補正方法】変更
【補正の内容】
【００９６】
本発明に係るコンピュータ読取可能記憶媒体は、移動通信システムの無線アクセスネットワークにおいて移動端末の無線リソースを制御するネットワークエンティティのプロセッサにより実行されると、前記ネットワークエンティティに、前記移動端末の少なくとも一つへ制御シグナリング情報を送信させる命令を記憶するコンピュータ読取可能記憶媒体であって、前記制御シグナリング情報の送信は、スケジューリング許可および少なくとも一つのスケジューリング対象外許可に従って、前記移動端末のいずれかからスケジューリング対象外ユーザデータおよびスケジューリング対象外制御データを受信するために使用され、且つ前記いずれかの移動端末から前記無線アクセスネットワークへアップリンクチャネルを介してスケジューリング対象外制御データを送信するために使用される複数のＨＡＲＱ処理の一部を選択するステップと、前記無線アクセスネットワークへのスケジューリング対象外制御データの送信に対してアクティブにされる前記一部のＨＡＲＱ処理を示す制御シグナリング情報を生成するステップと、前記制御シグナリング情報を前記いずれかの移動端末へ送信するステップと、を有する、ようにした。
【手続補正１５】
【補正対象書類名】明細書
【補正対象項目名】００９７
【補正方法】削除
【補正の内容】
【手続補正１６】
【補正対象書類名】明細書
【補正対象項目名】００９８
【補正方法】削除
【補正の内容】
【手続補正１７】
【補正対象書類名】明細書
【補正対象項目名】００９９
【補正方法】削除
【補正の内容】
【手続補正１８】
【補正対象書類名】明細書
【補正対象項目名】０１００
【補正方法】削除
【補正の内容】
【手続補正１９】
【補正対象書類名】明細書
【補正対象項目名】０１０１
【補正方法】削除
【補正の内容】
【手続補正２０】
【補正対象書類名】明細書
【補正対象項目名】０１０２
【補正方法】削除
【補正の内容】
【手続補正２１】
【補正対象書類名】明細書
【補正対象項目名】０１０３
【補正方法】削除
【補正の内容】
【手続補正２２】
【補正対象書類名】明細書
【補正対象項目名】０１０４
【補正方法】削除
【補正の内容】
【手続補正２３】
【補正対象書類名】明細書
【補正対象項目名】０１０５
【補正方法】削除
【補正の内容】
【手続補正２４】
【補正対象書類名】明細書
【補正対象項目名】０１０６
【補正方法】削除
【補正の内容】
【手続補正２５】
【補正対象書類名】明細書
【補正対象項目名】０１０７
【補正方法】削除
【補正の内容】
【手続補正２６】
【補正対象書類名】明細書
【補正対象項目名】０１０８
【補正方法】削除
【補正の内容】
【手続補正２７】
【補正対象書類名】明細書
【補正対象項目名】０１０９
【補正方法】削除
【補正の内容】
【手続補正２８】
【補正対象書類名】明細書
【補正対象項目名】０１１０
【補正方法】削除
【補正の内容】
【手続補正２９】
【補正対象書類名】明細書
【補正対象項目名】０１１１
【補正方法】削除
【補正の内容】
【手続補正３０】
【補正対象書類名】明細書
【補正対象項目名】０１１２
【補正方法】削除
【補正の内容】
【手続補正３１】
【補正対象書類名】明細書
【補正対象項目名】０１１３
【補正方法】削除
【補正の内容】
【手続補正３２】
【補正対象書類名】明細書
【補正対象項目名】０１１４
【補正方法】削除
【補正の内容】
【手続補正３３】
【補正対象書類名】明細書
【補正対象項目名】０１１５
【補正方法】削除
【補正の内容】
【手続補正３４】
【補正対象書類名】明細書
【補正対象項目名】０１１６
【補正方法】削除
【補正の内容】
【手続補正３５】
【補正対象書類名】明細書
【補正対象項目名】０１１７
【補正方法】削除
【補正の内容】
【手続補正３６】
【補正対象書類名】明細書
【補正対象項目名】０１１８
【補正方法】削除
【補正の内容】
【手続補正３７】
【補正対象書類名】明細書
【補正対象項目名】０１１９
【補正方法】削除
【補正の内容】
【手続補正３８】
【補正対象書類名】明細書
【補正対象項目名】０１２０
【補正方法】削除
【補正の内容】
【手続補正３９】
【補正対象書類名】明細書
【補正対象項目名】０１２１
【補正方法】削除
【補正の内容】
【手続補正４０】
【補正対象書類名】明細書
【補正対象項目名】０１２２
【補正方法】削除
【補正の内容】
【手続補正４１】
【補正対象書類名】明細書
【補正対象項目名】０１２３
【補正方法】削除
【補正の内容】
【手続補正４２】
【補正対象書類名】明細書
【補正対象項目名】０１２４
【補正方法】削除
【補正の内容】
【手続補正４３】
【補正対象書類名】明細書
【補正対象項目名】０１２５
【補正方法】削除
【補正の内容】
【手続補正４４】
【補正対象書類名】明細書
【補正対象項目名】０１２６
【補正方法】削除
【補正の内容】
【手続補正４５】
【補正対象書類名】明細書
【補正対象項目名】０１２７
【補正方法】削除
【補正の内容】
【手続補正４６】
【補正対象書類名】明細書
【補正対象項目名】０１２８
【補正方法】削除
【補正の内容】
【手続補正４７】
【補正対象書類名】明細書
【補正対象項目名】０１２９
【補正方法】削除
【補正の内容】
【手続補正４８】
【補正対象書類名】明細書
【補正対象項目名】０１３０
【補正方法】削除
【補正の内容】
【手続補正４９】
【補正対象書類名】明細書
【補正対象項目名】０１３１
【補正方法】削除
【補正の内容】
【手続補正５０】
【補正対象書類名】明細書
【補正対象項目名】０１３２
【補正方法】削除
【補正の内容】
【手続補正５１】
【補正対象書類名】明細書
【補正対象項目名】０１３３
【補正方法】削除
【補正の内容】
【手続補正５２】
【補正対象書類名】明細書
【補正対象項目名】０１３４
【補正方法】削除
【補正の内容】
【手続補正５３】
【補正対象書類名】明細書
【補正対象項目名】０１３５
【補正方法】削除
【補正の内容】
【手続補正５４】
【補正対象書類名】明細書
【補正対象項目名】０１３６
【補正方法】削除
【補正の内容】
【手続補正５５】
【補正対象書類名】明細書
【補正対象項目名】０１３７
【補正方法】削除
【補正の内容】
【手続補正５６】
【補正対象書類名】明細書
【補正対象項目名】０１３８
【補正方法】削除
【補正の内容】
【手続補正５７】
【補正対象書類名】明細書
【補正対象項目名】０１３９
【補正方法】削除
【補正の内容】